(57)【特許請求の範囲】
【請求項１】
内容物を収容する容器本体に装着する容器用キャップであって、
前記容器本体の口部に装着されるキャップ本体と、
該キャップ本体を外周側から覆うカバーと
を備え、
前記キャップ本体の外周面又は前記カバーの内周面のいずれか一方に、周方向に延びる少なくとも１本の周方向凹部又は周方向凸部が設けられており、
前記キャップ本体と前記カバーとは、異なる材質によって形成され、接着剤によって結合されており、
前記少なくとも１本の周方向凹部又は周方向凸部が設けられた前記キャップ本体及び前記カバーの一方の材料と前記接着剤との接着力は、前記キャップ本体及び前記カバーの他方の材料と前記接着剤との接着力よりも弱いことを特徴とする容器用キャップ。
【請求項２】
前記キャップ本体の外周面又は前記カバーの内周面のいずれか一方に、軸方向に延びる少なくとも１本の軸方向凹部又は軸方向凸部が設けられている、請求項１に記載の容器用キャップ。
【請求項３】
前記キャップ本体及び前記カバーの一方が樹脂材料によって形成されており、前記周方向凹部又は前記周方向凸部は、前記キャップ本体及び前記カバーのうち樹脂材料によって形成されている方に設けられている、請求項１又は２に記載の容器用キャップ。
【請求項４】
前記キャップ本体が樹脂材料によって形成されると共に、前記カバーが金属材料によって形成されている、請求項３に記載の容器用キャップ。
【発明の詳細な説明】
【技術分野】
【０００１】
本発明は、容器の口部に装着される容器用キャップであって、外周面にカバーを取り付けたものに関する。
【背景技術】
【０００２】
従来、内容物を収容する容器本体の口部に吐出口を備えた吐出キャップを装着した構成を有し、吐出キャップの外周面に更に装飾用のカバーを装着したタイプのものが知られている。例えば、特許文献１には、内容物を収容した容器体１の口頚部に螺合させた装着筒３及び噴霧ヘッド５の周囲を装飾用金属板３ａ，５ａで覆った、手動式噴霧器の安全装置が開示されている。この装飾用金属板３ａ，５ａによって、手動式噴霧器の構成要素のうち人目を惹き易い吐出キャップの外周面に容易に装飾を施すことができるため、使用する者に、視覚を通じて美しいと感じさせることができる。また、樹脂製の装着筒３及び噴霧ヘッド５を装飾用金属板３ａ，５ａで覆うことによって、破損し易い部分の強度を補強することができる。
【先行技術文献】
【特許文献】
【０００３】
【特許文献１】実公昭６０−２７４６７号公報
【発明の概要】
【発明が解決しようとする課題】
【０００４】
ところで、上記のような装飾板を有する容器では、例えば、キャップを材料コストが安価な樹脂製キャップとし、キャップを覆うカバーのみを金属板等で形成する場合がある。しかし、このような異材質同士を接着剤で固定する場合、接着剤と被着剤との濡れ性の違い等によって接着力に差異が生じる。例えば、キャップ部分の材料として樹脂を採用し、当該キャップ部分に温度サイクルや衝撃等が加わった場合、樹脂性のキャップと接着剤との間に剥離が生じ、カバーが脱落してしまうことがあった。
【０００５】
本発明は、このような問題を解決することを課題とするものであり、その目的は、キャップを覆うカバーの脱落を抑止することが可能な容器用キャップを提供することにある。
【課題を解決するための手段】
【０００６】
本発明は、内容物を収容する容器本体に装着する容器用キャップであって、
前記容器本体の口部に装着されるキャップ本体と、
該キャップ本体を外周側から覆うカバーと
を備え、
前記キャップ本体の外周面又は前記カバーの内周面のいずれか一方に、周方向に延びる少なくとも１本の周方向凹部又は周方向凸部が設けられており、
前記キャップ本体と前記カバーとは、異なる材質によって形成され、接着剤によって結合されており、
前記少なくとも１本の周方向凹部又は周方向凸部が設けられた前記キャップ本体及び前記カバーの一方の材料と前記接着剤との接着力は、前記キャップ本体及び前記カバーの他方の材料と前記接着剤との接着力よりも弱いことを特徴とする容器用キャップである。
【０００７】
また、前記キャップ本体の外周面又は前記カバーの内周面のいずれか一方に、軸方向に延びる少なくとも１本の軸方向凹部又は軸方向凸部が設けられていることが好ましい。
【０００８】
また、前記キャップ本体及び前記カバーの一方が樹脂材料によって形成されており、前記周方向凹部又は前記周方向凸部は、前記キャップ本体及び前記カバーのうち樹脂材料によって形成されている方に設けられていることが好ましい。
【０００９】
また、前記キャップ本体が樹脂材料によって形成されると共に、前記カバーが金属材料によって形成されていることが好ましい。
【発明の効果】
【００１０】
本発明の容器用キャップによれば、キャップを覆うカバーの脱落を抑止することができる。
【図面の簡単な説明】
【００１１】
【図１】本発明の一実施形態に係る容器用キャップを容器本体の口部に装着した状態を示す正面一部断面図である。
【図２】本発明の一実施形態に係る容器用キャップを構成する、（ａ）カバー、及び（ｂ）キャップ本体の正面一部断面図である。
【発明を実施するための形態】
【００１２】
以下、図面を参照して、本発明をより具体的に説明する。
【００１３】
図１は、本発明の一実施形態である容器用キャップ１が、これに適合する容器本体２に装着された状態を示す。容器用キャップ１は、キャップ本体１０、ポンプ２０、ノズルヘッド３０、カバー５０を備える。なお、本明細書、特許請求の範囲、要約書および図面では、後述するノズルヘッド３０が位置する側を上方（図１における上側）とし、容器本体２の底部２ｆが位置する側を下方（図１における下側）とする。また、図１において、中心軸線Ｏに沿う方向を軸方向とする。
【００１４】
まず、容器本体２について説明する。本実施形態では、容器本体２は、容器の上端に設けられ後述するキャップ本体１０を装着する口部２ａと、口部２ａの下端から下方に向かって拡径し胴部２ｅへと連なる肩部２ｄと、肩部２ｄから中心軸線Ｏに沿って下方に延びて収容空間Ｓを形成する円筒形状の胴部２ｅと、胴部２ｅの下端を閉塞する底部２ｆとを有する。口部２ａの上端は上部開口２ｃを形成している。また、口部２ａの外周面には、後述するキャップ本体１０をねじ係合によって固定するための雄ねじ部２ｂが設けられている。容器本体２は、例えばポリプロピレン（ＰＰ）やポリエチレンテレフタレート（ＰＥＴ）等によって形成することができるが、この態様に限定されず、他の様々な樹脂や金属、ガラス等の材料によって形成してもよい。
【００１５】
次に、図１、及び図２（ｂ）を用いて、容器用キャップ１を構成するキャップ本体１０について説明する。キャップ本体１０は、口部２ａを取り囲む外周壁１１を備えていて、外周壁１１の内周面には、口部２ａの雄ねじ部２ｂに対応する雌ねじ部１１ａが形成されている。また、外周壁１１の上端には、肩部１１ｂを介して内周方向に延びる頂壁１３が設けられている。頂壁１３の上面には、その外周端から上方に向かって延びる上部周壁１２が設けられると共に、上部周壁１２の内周側には、下方に開口する嵌合溝１４ａを形成しポンプ２０のシリンダ２４の上端を受け入れるポンプ受け部１４が立設されている。また、頂壁１３の下面と口部２ａの上端面との間には、ゴム製のパッキン１９が別部品として配置され、口部２ａとキャップ本体１０との隙間を液密にシールする。
【００１６】
なお、キャップ本体１０の外周側には、図１に示すように、キャップ本体１０の外形に沿う形状を有するカバー５０が配置されている。なお、キャップ本体１０へのカバー５０の取付については、図２（ａ），（ｂ）を用いて後ほど詳述する。
【００１７】
キャップ本体１０の頂壁１３の下面には、容器本体２の収容空間Ｓ内に下端を垂下させた状態でポンプ２０が取り付けられている。ポンプ２０は、ポンプ２０の外形を形成するシリンダ２４の上端が嵌合溝１４ａに嵌合すると共に、パッキン１９の内周端がシリンダ２４の段部に係合することによってキャップ本体１０に固定されている。ポンプ２０におけるシリンダ２４の内周側には、上方付勢状態で上下動可能に突出させたステム２２が設けられている。ステム２２の上端は、案内筒３４の内周壁に設けられている段部３４ｂに係合しており、利用者が後述するノズルヘッド３０を押下することにより案内筒３４を介してステム２２が押し下げられる。このステム２２の上下動によって容器本体２の収容空間Ｓ内の内容物が吸い上げられ、案内筒３４の内部空間を経由してノズルヘッド３０のノズル３７から吐出される。
【００１８】
案内筒３４は、上述のように、ポンプ２０のステム２２とノズルヘッド３０とを連結し、容器本体２の収容空間Ｓ内の内容物をノズルヘッド３０のノズル３７へと導く。図１に示すように、案内筒３４の内部空間には、移動弁体３５及び移動弁体３５が着座する弁座３４ａが設けられている。移動弁体３５は、内容物の吐出時にポンプ２０からの圧力によって上方に移動してノズルヘッド３０のストッパ３９に当接する。また、吐出が終了すると移動弁体３５自身の自重により下方に移動して弁座３４ａに着座する。そして、移動弁体３５が弁座３４ａへと戻る際にノズル３７側にスペースが生じることになるため、ノズル３７内に残留した内容物を案内筒３４側に移動させることができ（サックバック機能）、液だれを有効に抑止することができる。
【００１９】
ノズルヘッド３０は、案内筒３４から導かれた内容物を側方に吐出するノズル３７を備える。ノズル３７から下方に垂下する縦筒３１の内周面には案内筒３４の上端が嵌合している。また、縦筒３１の外周側には、同様にノズル３７から垂下する垂下壁３２が設けられている。利用者がノズルヘッド３０の上面を押下すると、案内筒３４を介して上方付勢状態のステム２２を下方に押し下げ、容器本体２内部の内容物がノズル３７のノズル開孔３７ａから外部に吐出される。そして、ノズルヘッド３０の押下を停止すると、上方付勢されているステム２２は上昇して元の位置へと戻る。
【００２０】
カバー５０は、キャップ本体１０の周囲を覆い、キャップ本体１０に固定されている。図１に示すように、キャップ本体１０の外周壁１１の周囲をカバー５０の下部カバー５１が覆い、上部周壁１２の周囲を上部カバー５５が覆っている。また、キャップ本体１０の肩部１１ｂの近傍には、上部カバー５５と下部カバー５１を連結する段部５３が設けられている。また、上部カバー５５の上端には、内周方向に延びるカバー天壁５７が設けられ、その内周端は、案内筒３４及び垂下壁３２を受け入れる開孔を形成している。カバー５０は、例えばアルミニウム箔のような金属薄板で構成することができるが、この態様に限定されるものではない。
【００２１】
なお、カバー５０は、キャップ本体１０を装飾する装飾板として機能させることができる他、キャップ本体１０を衝撃、薬品等から保護する保護材として機能させる等してもよい。
【００２２】
次に、図１のキャップ本体１０にカバー５０を接着固定する手法について説明する。図２（ａ）、（ｂ）は、それぞれカバー５０及びキャップ本体１０の詳細な構成を示す正面一部断面図を示している。図２（ｂ）に示すように、キャップ本体１０の外周壁１１の外周面には、上下方向に延びる縦溝１８ａ、及び円周方向に延びる周溝１８ｂがそれぞれ設けられている。本実施形態では、カバー５０及びキャップ本体１０を、それぞれアルミニウム箔及びポリプロピレン等のオレフィン系樹脂によって形成し、両者を固定する接着剤としてポリエステル系接着剤を用いている。カバー５０をキャップ本体１０に固定する際には、まず接着剤を外周壁１１の外周面に広く塗布し、図２(ｂ)に示す縦溝１８ａ及び周溝１８ｂの中にも入り込むようにする。次に図２（ａ）に示すカバー５０を上方からキャップ本体１０の外周壁１１を覆うように嵌め込む。このとき、外周壁１１の外周面と下部カバー５１の内周面とが隙間ばめとなるように各寸法が管理されている。すなわち、接着剤は、外周壁１１の外周面と下部カバー５１の内周面との間の隙間に広く入り込み、更に縦溝１８ａ及び周溝１８ｂの中にも入り込むことになる。その後、接着剤を硬化させることによってカバー５０とキャップ本体１０との固定が完了する。
【００２３】
接着剤を硬化させた後に、キャップ本体１０部分に衝撃、温度変化等が加わると、一般に接着強度が弱い接着剤とポリプロピレンとの境界に剥がれが生じることになる。つまり、本実施形態では、キャップ本体１０の外周壁１１と接着剤との境界に剥がれが生じる。しかし、外周壁１１と接着剤との境界に剥がれが発生しても、縦溝１８ａ及び周溝１８ｂの形状で硬化した接着剤が、縦溝１８ａ及び周溝１８ｂに嵌合しているため、カバー５０がキャップ本体１０から外れてしまうことがない。そして、周溝１８ｂに入り込んだ接着剤により、カバー５０がキャップ本体１０に対して上下方向に相対移動して外れてしまうのを抑止する。同様に、縦溝１８ａに入り込んだ接着剤により、カバー５０がキャップ本体１０に対して中心軸線Ｏ周りに回転してしまうのを抑止する。
【００２４】
なお、接着剤は、キャップ本体１０とカバー５０の両方に接着されることが望ましいが、少なくとも縦溝１８aや周溝１８ｂを設けていない側のキャップ本体１０あるいはカバー５０が接着されていれば、接着剤が縦溝１８aや周溝１８ｂに入り込み、アンダカートのような機能を果たす為、カバー５０の外れや回転を確実に防止できる。
【００２５】
なお、本実施形態では、キャップ本体１０の外周壁１１の外周面に、中心軸線Ｏに平行な縦溝１８ａ及び中心軸線Ｏに垂直な周溝１８ｂをそれぞれ設けるように構成したが、この態様には限定されない。少なくとも周溝１８ｂが設けられていれば、カバー５０が上下方向に移動してキャップ本体１０から外れてしまうのを抑止することができる。
【００２６】
また、本実施形態では、縦溝１８ａが中心軸線Ｏに平行となるように構成し、周溝１８ｂが中心軸線Ｏに垂直となるように構成したが、この態様には限定されない。例えば、縦溝１８ａが中心軸線Ｏに平行な状態から４５度以下の角度で傾いていても、カバー５０がキャップ本体１０に対して周方向に回転移動するのを抑制することができる。つまり、軸方向に延びる縦溝１８ａは、中心軸線Ｏに対して４５度以内の角度で傾いていてもよい。また、周溝１８ｂについても、中心軸線Ｏに垂直な状態から傾いていても、周溝１８ｂが外周壁１１の上端又は下端に達していなければ、カバー５０がキャップ本体１０から脱落してしまうことがない。従って、その範囲で周溝１８ｂはカバー５０の脱落抑止効果を有すると考えられる。つまり、周方向に延びる周溝１８ｂは、周溝１８ｂが外周壁１１の上端又は下端に達しない範囲で中心軸線Ｏに垂直な状態から傾いていてもよい。
【００２７】
また、本実施形態では、縦溝１８ａ及び周溝１８ｂを、それぞれ複数本設けるように構成したが、この態様には限定されず、少なくとも１本ずつ設けられていればよい。
【００２８】
また、本実施形態では、軸方向に延びる凹部として縦溝１８ａを設け、周方向に延びる凹部として周溝１８ｂを設けるように構成したが、この態様には限定されない。縦溝１８ａの代わりに軸方向に延びる凸部を設けた場合でも、凸部に隣接する領域に入り込んで硬化した接着剤が凸部に係合してカバー５０がキャップ本体１０に対して周方向に回転するのを抑制することができる。同様に、周溝１８ｂの代わりに周方向に延びる凸部を設けた場合であっても、凸部に隣接する領域に入り込んで硬化した接着剤が凸部に係合してカバー５０がキャップ本体１０に対して上下方向に相対移動するのを抑制することができる。
【００２９】
また、本実施形態では、キャップ本体１０側に縦溝１８ａ及び周溝１８ｂを設けるように構成したが、この態様には限定されない。例えば、キャップ本体１０を金属材料によって形成する一方、カバー５０を装飾性の高い樹脂材料で形成し、カバー５０の内周面に縦溝１８ａ及び周溝１８ｂを設けるようにしてもよい。つまり、キャップ本体１０とカバー５０は異なる材料で形成されていることが好ましく、キャップ本体１０とカバー５０のうち、接着剤との接着強度が低い側に縦溝１８ａ及び周溝１８ｂを設けることが好ましい。
【００３０】
また、本実施形態では、接着剤としてポリエステル系接着剤を用いるように構成したが、この態様には限定されず、例えば熱可塑性樹脂を主成分とするホットメルト等によってカバー５０を固定するようにしてもよい。
【００３１】
以上のように、本実施形態によれば、容器本体２の口部２ａに装着するキャップ本体１０の外周面に周方向に延びる周溝１８ｂを設ける一方、当該外周面をキャップ本体１０とは異なる材料で形成されたカバー５０で覆い接着固定するように構成した。これにより、キャップ本体１０の外周面と接着剤との境界で剥離が生じても、周溝１８ｂ内で硬化した接着剤が周溝１８ｂに係合してカバー５０が脱落するのを抑制することができる。
【００３２】
また、本実施形態によれば、周溝１８ｂに加えて、容器本体２の中心軸線Ｏ方向に延びる縦溝１８ａをキャップ本体１０の外周面に設けるように構成した。これによって、カバー５０がキャップ本体１０に対して周方向に回転してしまうのを抑制することができる。
【００３３】
また、本実施形態によれば、キャップ本体１０を樹脂材料によって形成すると共にカバー５０を金属材料によって形成し、縦溝１８ａ及び周溝１８ｂをキャップ本体１０側に形成するように構成した。これによって、金属性のカバー５０と接着剤との接着強度を高く維持することができる一方、接着強度が低く剥離し易い樹脂製のキャップ本体１０と接着剤との境界を、接着剤を縦溝１８ａ及び周溝１８ｂに係合させることにより相対移動しづらくしたので、カバー５０の脱落及び回転移動を抑制することができる。
【００３４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【産業上の利用可能性】
【００３５】
本発明によれば、キャップ本体１０を覆うカバー５０の脱落を抑止することが可能な容器用キャップ１を提供することが可能となる。
【符号の説明】
【００３６】
１      容器用キャップ
２      容器本体
２ａ    口部
２ｂ    雄ねじ部
２ｃ    上部開口
２ｄ    肩部
２ｅ    胴部
２ｆ    底部
１０    キャップ本体
１１    外周壁
１１ａ  雌ねじ部
１１ｂ  肩部
１２    上部周壁
１３    頂壁
１４    ポンプ受け部
１４ａ  嵌合溝
１８ａ  縦溝（軸方向凹部）
１８ｂ  周溝（周方向凹部）
１９    パッキン
２０    ポンプ
２２    ステム
２４    シリンダ
３０    ノズルヘッド
３１    縦筒
３２    垂下壁
３４    案内筒
３４ａ  弁座
３４ｂ  段部
３５    移動弁体
３７    ノズル
３７ａ  ノズル開孔
３９    ストッパ
５０    カバー
５１    下部カバー
５３    段部
５５    上部カバー
５７    カバー天壁
Ｏ      中心軸線
Ｓ      収容空間
【図１】
0006716159.tif 000002
【図２】
0006716159.tif 000003